(57)【要約】【課題】櫓コタツ等のコタツテーブルを含むテーブルに掛けられるテーブル掛けであって、テーブルの使用に制限を加えるようなことなく、且つテーブルの大きさの変更にも対応して、テーブルからテーブル掛けがズレるのを適切に防ぐことができるテーブル掛けの提供を課題とする。【解決手段】櫓コタツ等のコタツテーブルを含むテーブル２００を覆うように掛けられて使用されるテーブル掛け１００であって、テーブル掛け１００の裏面側に、テーブル２００の足部２１０に対して掛止されることでテーブル掛け１００のズレを防止するズレ防止手段を設けた。ズレ防止手段はテーブル２００の足部２１０に対して着脱自在に掛止させる掛止部材１２０と、掛止部材１２０を取り付けるためテーブル２００の足部２１０に対応するテーブル掛け１００の裏面側の位置に構成される掛止部材取付部１３０とからなる。【選択図】      図１
0003148513.tif 000002
【実用新案登録請求の範囲】
【請求項１】
櫓コタツ等のコタツテーブルを含むテーブルを覆うように掛けられて使用されるテーブル掛けであって、
前記テーブル掛けの裏面側に、テーブルの足部に対して掛止されることでテーブル掛けのズレを防止するズレ防止手段を設けたことを特徴とするテーブル掛け。
【請求項２】
ズレ防止手段は、櫓コタツのテーブルを含むテーブルの足部に対して着脱自在に掛止させる掛止部材と、該掛止部材を取り付けるため、テーブルの足部に対応するテーブル掛けの裏面側の位置に構成される掛止部材取付部とからなることを特徴とする請求項１に記載のテーブル掛け。
【請求項３】
掛止部材は、一方で掛止部材取付部に取り付けられると共に他方でテーブルの足部に対して着脱自在に結ばせる掛止紐であることを特徴とする請求項２に記載のテーブル掛け。
【請求項４】
掛止部材は、一方で掛止部材取付部に取り付けられると共に他方でテーブルの足部に対して着脱自在に掛止させる面ファスナー帯であることを特徴とする請求項２に記載のテーブル掛け。
【請求項５】
掛止部材取付部は、掛止紐、面ファスナー帯を含む掛止部材を取付位置調節自在に取り付ける取付帯部からなることを特徴とする請求項２〜４の何れかに記載のテーブル掛け。
【請求項６】
取付帯部には、テーブルの大きさに応じて前記掛止部材の取付位置を変更調節するための複数の取付区を設けていることを特徴とする請求項５に記載のテーブル掛け。
【請求項７】
テーブル掛けは、厚手の布、布団、布団を内部に着脱自在に収容することができる布団カバーを含む請求項１〜６の何れかに記載のテーブル掛け。
【考案の詳細な説明】
【技術分野】
【０００１】
本考案は櫓コタツのテーブルを含むテーブルに掛けられて使用されるテーブル掛けに関する。
【背景技術】
【０００２】
櫓コタツのテーブルに掛けるテーブル掛けは、布団であったり、暖を取れるような厚みのある布であったり、カバーの中に布団等を出し入れできるように入れたものであったりする。
特に櫓コタツ等のヒータ部を備えたテーブルに掛けるテーブル掛けの場合、人がコタツに入ったり、コタツに入ったまま寝たりすることから、テーブル掛けがズレ易い問題があった。テーブル掛けがズレると、熱が逃げやすくなり、暖が取れない。
特開２００７−３３０７２１号公報には、掛け布団カバー（４）に調節可能なひも（２）を着脱可能に取り付け、そのひも（２）をマットやベッドに引っ掛けるようにした、ずれ落ちない掛け布団カバーが提供されている（特許文献１）。
また実開平７−２７３７２号広報には、掛布団（２）の四隅に装着紐（２１）を取り付け、カバー（１）の内側四隅には係止紐（１２）を設け、該係止紐（１２）の先端に装着紐掛止部（５）を取り付け、該装着紐掛止部（５）を掛布団（２）の四隅で装着紐（２１）に掛止することにより、前記カバー（１）の内部で前記掛布団（２）がずれることないようにした連結具及び連結具付きカバーが提供されている（特許文献２）。
【特許文献１】特開２００７−３３０７２１号公報
【特許文献２】実開平７−２７３７２号広報
【考案の開示】
【考案が解決しようとする課題】
【０００３】
しかしながら、特許文献１に示すずれ落ちない掛け布団カバーの場合、布団カバーの角部に渡された長いひも（２）をマットやベッドに引っ掛ける構成である。このような構成をテーブル掛けに用いた場合は、テーブルの角部等に特許文献１のひも（２）を引っ掛けることになり、テーブルの使用が制限される問題が生じる。
また特許文献２に示す連結具及び連結具付きカバーの場合は、カバー（１）とその中に入れられる布団（２）とのズレを防止することができるが、カバー（１）の外側には紐などが何ら設けられていない。従って、このカバー（１）をテーブル掛けとして用いた場合に、カバーとテーブルとのズレを防止することができない。
【０００４】
そこで本考案は上記従来技術における問題を解消し、櫓コタツ等のコタツテーブルを含むテーブルに掛けられるテーブル掛けであって、テーブルの使用に制限を加えるようなことなく、且つテーブルの大きさの変更にも対応して、テーブルからテーブル掛けがズレるのを適切に防ぐことができるテーブル掛けの提供を課題とする。
【課題を解決するための手段】
【０００５】
上記課題を達成するため本考案のテーブル掛けは、櫓コタツ等のコタツテーブルを含むテーブルを覆うように掛けられて使用されるテーブル掛けであって、前記テーブル掛けの裏面側に、テーブルの足部に対して掛止されることでテーブル掛けのズレを防止するズレ防止手段を設けたことを第１の特徴としている。
また本考案のテーブル掛けは、上記第１の特徴に加えて、ズレ防止手段は、櫓コタツのテーブルを含むテーブルの足部に対して着脱自在に掛止させる掛止部材と、該掛止部材を取り付けるため、テーブルの足部に対応するテーブル掛けの裏面側の位置に構成される掛止部材取付部とからなることを第２の特徴としている。
また本考案のテーブル掛けは、上記第２の特徴に加えて、掛止部材は、一方で掛止部材取付部に取り付けられると共に他方でテーブルの足部に対して着脱自在に結ばせる掛止紐であることを第３特徴としている。
また本考案のテーブル掛けは、上記第２の特徴に加えて、掛止部材は、一方で掛止部材取付部に取り付けられると共に他方でテーブルの足部に対して着脱自在に掛止させる面ファスナー帯であることを第４特徴としている。
また本考案のテーブル掛けは、上記第２〜第４の何れかの特徴に加えて、掛止部材取付部は、掛止紐、面ファスナー帯を含む掛止部材を取付位置調節自在に取り付ける取付帯部からなることを第５特徴としている。
また本考案のテーブル掛けは、上記第５の特徴に加えて、取付帯部には、テーブルの大きさに応じて前記掛止部材の取付位置を変更調節するための複数の取付区を設けていることを第６特徴としている。
また本考案のテーブル掛けは、上記第１〜第６の何れかの特徴に加えて、テーブル掛けは、厚手の布、布団、布団を内部に着脱自在に収容することができる布団カバーを含むことを第７の特徴としている。
【考案の効果】
【０００６】
請求項１に記載のテーブル掛けカバーによれば、櫓コタツ等のコタツテーブルを含むテーブルを覆うように掛けられて使用されるテーブル掛けであって、前記テーブル掛けの裏面側に、テーブルの足部に対して掛止されることでテーブル掛けのズレを防止するズレ防止手段を設けたので、
テーブル掛けの裏面側に設けた前記ズレ防止手段により、テーブルの足部に掛止することで、テーブル掛けが櫓コタツのテーブルやその他のテーブル上でズレたり、テーブルからズレ落ちたりするのを防ぐことができる。特に櫓コタツの場合には、人が櫓コタツで就寝中にテーブル掛けを引っ張ることが多々あるが、そのような場合にもテーブル掛けがズレるの確実に防ぎ、暖が逃げるのを防ぐことができる。
勿論、ズレ防止手段はテーブル掛けの裏に設けられ、且つテーブルの足に対して掛止されるので、テーブル上を何ら邪魔することなく、テーブルの使用に制限を加えることもない。
【０００７】
また請求項２に記載のテーブル掛けによれば、上記請求項１に記載の構成による作用効果に加えて、ズレ防止手段は、櫓コタツのテーブルを含むテーブルの足部に対して着脱自在に掛止させる掛止部材と、該掛止部材を取り付けるため、テーブルの足部に対応するテーブル掛けの裏面側の位置に構成される掛止部材取付部とからなるので、
テーブル掛けに構成された掛止部材取付部と、その掛止部材取付部に取り付けられる掛止部材とによって、テーブル掛けをテーブルの足部に対して容易に固定することが可能となり、テーブル掛けのズレを容易に防止することができる。
【０００８】
また請求項３に記載のテーブル掛けによれば、上記請求項２に記載の構成による作用効果に加えて、掛止部材は、一方で掛止部材取付部に取り付けられると共に他方でテーブルの足部に対して着脱自在に結ばせる掛止紐であるので、
テーブル掛けの裏面側の掛止部材取付部に予め掛止紐を取り付けた状態にしておき、この掛止紐でテーブルの足部に結び付けることで、簡単に且つ確実にテーブル掛けのズレを防止することができる。
勿論、掛止紐の場合は、これを掛止部材取付部に予め取り付けた状態で使用に供する他、ズレ防止を行う際に掛止部材取付部とテーブルの足部とに結び付けるようにすることもできるので、使用上便利である。
また前記テーブルの大きさに応じて、掛止紐を簡単に調節して結び付けることができるので、色々な寸法や形のテーブルに対しても適応性がよくなる。
【０００９】
また請求項４に記載のテーブル掛けによれば、上記請求項２に記載の構成による作用効果に加えて、掛止部材は、一方で掛止部材取付部に取り付けられると共に他方でテーブルの足部に対して着脱自在に掛止させる面ファスナー帯であるので、
テーブル掛けの裏面側の掛止部材取付部に面ファスナー帯を予め取り付けた状態にしておき、この面ファスナー帯でテーブルの足部に掛止することで、例えば、巻き付けるような動作で足部に掛止することで、簡単に且つ確実にテーブル掛けのズレを防止することができる。また取り外しも容易である。
勿論、面ファスナー帯の場合も、予め掛止部材取付部に取り付けておくことなく、ズレ防止を行う際に掛止部材取付部とテーブルの足部とに結び付けるようにすることもできるので、使用上便利である。
また前記テーブルの大きさに応じて、面ファスナー帯を調節して結び付けることができるので、色々な寸法や形のテーブルに対しても適応性がよくなる。
【００１０】
また請求項５に記載のテーブル掛けによれば、上記請求項２〜４の何れかに記載の構成による作用効果に加えて、掛止部材取付部は、掛止紐、面ファスナー帯を含む掛止部材を取付位置調節自在に取り付ける取付帯部からなるので、
取付帯部の帯の部分でテーブル掛けに縫製することが容易にできるので、テーブル掛けへの取り付けが容易に行える。
また取付帯部の帯の部分で、掛止紐や面ファスナー帯の取付位置を容易に位置調節することができる。
【００１１】
また請求項６に記載のテーブル掛けによれば、上記請求項５に記載の構成による作用効果に加えて、取付帯部には、テーブルの大きさに応じて前記掛止部材の取付位置を変更調節するための複数の取付区を設けているので、
テーブルの大きさの大小に応じて、掛止紐や記面ファスナー帯を取り付ける取付帯部の取付区を選ぶことができる。よってテーブルの大きさに応じたズレ止めができるテーブル掛けを提供することができる。
【００１２】
また請求項７に記載のテーブル掛けによれば、上記請求項１〜６の何れかに記載の構成による作用効果に加えて、テーブル掛けは、厚手の布、布団、布団を内部に着脱自在に収容することができる布団カバーを含むので、
櫓コタツのテーブルに掛ける毛布、布団、布団カバーを、ズレ防止手段を施したテーブル掛けとして提供することができるので、特に冬場において、コタツから暖が逃げるのを良好に防止することができる。
【考案を実施するための最良の形態】
【００１３】
以下の図面を参照して、本考案の実施形態に係るテーブル掛けについて説明する。
図１は本考案の実施形態に係るテーブル掛けの使用状態を示す斜視図、図２は本考案のテーブル掛けの要部を示す拡大斜視図、図３は本考案のテーブル掛けの裏面を示す図、図４は本考案の他の実施形態を説明する図である。
【００１４】
図１〜図３を参照して、本実施形態では、テーブル掛け１００は、布団（毛布を含む）を中に入れて使用するカバーとして構成されたテーブル掛けである。このテーブル掛け１００は、コタツテーブルとし、櫓コタツのテーブル２００の上に覆うように掛けられる。通常において、テーブル掛け１００の上から更に天板２２０が載せられ、これによって櫓コタツの使用環境が整う。
前記テーブル２００は、通常において４本の足部２１０が四隅に設けられて、立座される。そしてテーブル２００の下面には、図示しない電気ヒータ等のヒータが取り付けられている。このヒータが取り付けられたテーブルは櫓コタツであり、テーブル掛け１００が掛けられた状態で内部が温められることで、コタツの機能を発揮する。勿論、ヒータを取り外したもの、その他ヒータのないものは、ただのテーブルとして供される。
【００１５】
前記カバーとしてのテーブル掛け１００は、テーブル２００の形状に合わせて、正方形状や長方形状に形成することができる。しかし本実施形態では、長方形状としている。この長方形のテーブル掛け１００は、正方形状のテーブル２００や長方形状のテーブル２００に掛けて用いることができる。
テーブル掛け１００の裏面側には布団収容ファスナー１１０を設けている。この布団収容ファスナー１１０を開くことで、布団や毛布を内部に出し入れ自在に収納することができる。布団や毛布を内部に収容したテーブル掛け１００は、コタツ布団を構成することになる。勿論、布団等を内部に入れることなく、カバーだけの状態でもテーブル掛け１００として用いることができる。
布団収容ファスナー１１０は、テーブル掛け１００の裏面側の一方の長辺に沿う位置に設けられ、後述するズレ防止手段の邪魔にならないようにしている。
【００１６】
テーブル掛け１００は、その裏面側にテーブル掛け１００のズレを防止するためのズレ防止手段を設けている。該ズレ防止手段は、掛止部材１２０と掛止部材取付部１３０とからなる。
前記掛止部材取付部１３０は、前記掛止部材１２０を取り付けるために設けられるもので、テーブル掛け１００の裏面側の位置に、テーブル掛け１００と一体状態に構成される。本実施形態では、掛止部材取付部１３０を取付帯部１３１として構成している。
前記掛止部材取付部１３０を構成する取付帯部１３１は、テーブル掛け１００の裏面側の４箇所に構成される。該取付帯部１３１は、例えば強度の強い布帯を用いて、この布帯の両端部をテーブル掛け１００に縫い付けることで構成することができる。取付帯部１３１の前記縫い付ける両端部以外の部分は、テーブル掛け１００から浮いた状態とされ、その部分に掛止部材１２０が取り付けられることになる。
【００１７】
前記掛止部材１２０は、テーブル２００の足部２１０に対して、実際に着脱自在に掛止させる部材で、本実施形態では掛止紐１２１を用いている。後述する他の実施形態では掛止部材１２０に面ファスナー帯１２２を用いている。
前記掛止部材１２０である掛止紐１２１は、掛止部材取付部１３０である取付帯部１３１に対して予め一体に取り付けておく構成としてもよい。また取付帯部１３１に対して着脱自在に取り付けることができるように、別体の付属品としてもよい。
前記掛止紐１２１を別体として用意する場合は、別体とした掛止紐１２１を、取付帯部１３１に通した後、テーブル２００の足部２１０に結び付けることで、足部２１０に掛止することができる。
なお、掛止紐１２１を別体の付属品として用意する場合は、各掛止紐１２１を予め前記取付帯部１３１に取り付けておくことができる。
【００１８】
前記掛止部材取付部１３０である取付帯部１３１は、テーブル掛け１００の裏面の４箇所に構成する。その４箇所の構成位置は、テーブル掛け１００の裏面の中心（長方形の対角線の交点）から同じ距離にある対角線上の位置としている。そして、前記中心からの距離は、テーブル掛け１００をテーブル２００上に掛けた際に、各取付帯部１３１がテーブル２００の四隅の足部２１０の上部付近に位置するような距離とする。
しかし、テーブル２００のサイズによって、必ずしも取付帯部１３１の位置が何時もテーブル２００の足部２１０の上部付近に位置できるとは限らない。
そこで本考案では、４つの各取付帯部１３１を、それぞれ対角線方向に所定の幅を持って長い帯状に配置されるようにしている。そして、その対角線方向に帯状に長くして取り付けられた取付帯部１３１を複数の取付区１３１ａに区分している。この取付区１３１ａは、取付区１３１ａの境界を例えば縫い付けることで、テーブル掛け１００と一体化することで得ることができる。本実施形態では、各取付帯部１３１の取付区１３１ａを２区分としている。
以上のようにして取付帯部１３１に取付区１３１ａを複数設けることで、掛止紐１２１の取付帯部１３１に対する位置を調整することができる。これにより、テーブル２００の大きさ、言い換えればテーブル２００の四隅にある足部２１０の離れ具合に応じて、掛止紐１２１の位置を調整し、各掛止紐１２１を各足部２１０の上部でそれぞれ結ぶことが可能となる。
【００１９】
図４に本考案の他の実施形態を示す。この実施形態では、面ファスナー帯１２２を掛止部材１２０としている。
面ファスナー帯１２２にはフックテープ１２２ａとループテープ１２２ｂとを設けている。
そして面ファスナー帯１２２をテーブル掛け１００の取付帯部１３１の何れかの取付区１３１ａに挿通し、更にテーブル２００の足部２１０に巻き付けて、前記フックテープ１２２ａとループテープ１２２ｂとで接合することで、足部２１０への掛止が完了する。勿論、取外しも簡単にできる。
足部２１０への掛止をしない状態においては、面ファスナー帯１２２を取付区１３１ａにだけ通して、フックテープ１２２ａとループテープ１２２ｂとを接合しておくことで、面ファスナー帯１２２を取付帯部１３１に保持しておくことができる。
なお本実施形態において、面ファスナー帯１２２を前記掛止紐１２１に代えて用いること以外の構成は、前記図１〜図３に示す実施形態と同じである。
【図面の簡単な説明】
【００２０】
【図１】本考案の実施形態に係るテーブル掛けの使用状態を示す斜視図である。
【図２】本考案のテーブル掛けの要部を示す拡大斜視図である。
【図３】本考案のテーブル掛けの裏面を示す図である。
【図４】本考案の他の実施形態を説明する図である。
【符号の説明】
【００２１】
１００    テーブル掛け
１１０    布団収容ファスナー
１２０    掛止部材
１２１    掛止紐
１２２    面ファスナー帯
１２２ａ  フックテープ
１２２ｂ  ループテープ
１３０    掛止部材取付部
１３１    取付帯部
１３１ａ  取付区
２００    テーブル
２１０    足部
２２０    天板
【図１】
0003148513.tif 000003
【図２】
0003148513.tif 000004
【図３】
0003148513.tif 000005
【図４】
0003148513.tif 000006